(57)【要約】【課題】単一形状のピース材である固定具を用いていながら、固定具と既設屋根との強固な接続・固定関係が堅持され、新設屋根による負荷にも前記接続・固定関係が失われず、既設屋根上に新設屋根が流れ方向へズレ動かないように確実に重ね葺きされている堅牢な構造強度の改修構造を提供する。【解決手段】既設屋根２と座金５との間に下取付部８が介在して、挿入溝１１にボルト３が挿入して取り付けられている既設屋根２上の複数の固定具７における少なくとも１つの固定具７を他の固定具７に対し、挿入溝１１の溝入口１１ａが流れ方向に相反している逆向き状態に取り付け、各上取付部９上に渡り新設屋根１３を構築し、新設屋根１３を接続媒体として流れ方向に少なくとも１つの逆向きの固定具７を含む各固定具７を一体化することで、既設屋根２上に新設屋根１３を流れ方向へのズレ動きが規制された敷設状態に葺いてある。【選択図】  図４
2004300668.tif 000002
【特許請求の範囲】
【請求項１】
既設屋根上に流れ方向或いは桁行き方向の複数の固定具を経て新設屋根が重ね葺きされる屋根の改修構造において、
前記固定具は、既設屋根上に取り付けられる下取付部と、新設屋根を取り付ける上取付部とを備えており、前記下取付部には、既設屋根の上方に突出するボルトのネジ部分に螺合されて既設屋根を母屋材に固定しているナットおよび座金の径よりも大径のガイド穴と、該ガイド穴に連通して、前記ボルトのネジ部分の径よりもやや大幅の挿入溝を形成してあり、
既設屋根と座金との間に下取付部が介在して、挿入溝にボルトのねじ部分が挿入して取り付けられている既設屋根上の複数の固定具における少なくとも１つの固定具を他の固定具に対し、挿入溝の溝入口が流れ方向に相反している逆向き状態に取り付け、この流れ方向に逆向きの固定具を含む各固定具における上取付部上に渡り新設屋根を構築し、新設屋根を接続媒体として流れ方向に少なくとも１つの逆向きの固定具を含む各固定具を一体化することで、既設屋根上に新設屋根を流れ方向へのズレ動きが規制された敷設状態に葺いてあることを特徴とする屋根の改修構造。
【請求項２】
固定具が、ボルトの軸線を中心とする回転防止およびボルトからの抜け止めをして働く規制部を備えていることを特徴とする請求項１記載の屋根の改修構造。
【発明の詳細な説明】
【０００１】
【発明の属する技術分野】
本発明は既設屋根上に新設屋根を重ね葺きするのに有用な屋根の改修構造に関する。
【０００２】
【従来の技術】
先行文献１には、既設屋根上に新設屋根を重ね葺きして補修する屋根補修工法が記載されており、同工法に用いられるクランプ金具として、断面山形の底面部に、その頂部を貫通してフックボルトのナット直下の軸部回りに嵌合せしめる穴と、該穴と底面部の上記端縁とを連通せしめてフックボルトの軸部を上記穴に嵌入させるガイド溝からなる切欠きを形成し、且つ、上記ガイド溝は上記穴との連接部の溝幅が上記孔の径よりも小さく、溝幅が底面部端縁の開口に向けて拡大するテーパー状に形成したものが記載および図示されている。
ところで、かかるクランプ金具では、ボルトの軸部と穴との嵌合関係を、穴およびこの穴に続くガイド溝の拡開により確保している構成のものであるため、この拡開によって嵌合関係という位置規制が失われる恐れがあるものであり、穴からボルトが外れてしまうことも起こり得る構造上の不備がある。この点は、底面部が断面山形で既設の波形スレートの山部に沿う形状であること、そして、新設の金属板屋根材の重量が負荷されることが相乗することにより、穴およびガイド溝は拡開動作し易くなっているといえる。
また、座金下のパッキン材により得ている接触摩擦抵抗は、パッキン材の劣化或いは振動等によって損なわれる虞れがあり、既設屋根との接続関係に対する貢献度は低いものになる。
このような拡開状態になれば、既設屋根材に対する固定具の接続・固定関係が失われるわけであるから、固定具ともども新設屋根材はフリーになって流れ方向にズレ動いてしまうという重大な問題に発展することにもなりかねず、屋根補修工法としては未解決の課題を抱えたままの構造になっている。
【０００３】
【先行文献１】
特許２９０７４２２
【０００４】
【発明が解決しようとする課題】
解決しようとする課題は、第１には、単一形状のピース材である固定具を用いていながら、固定具と既設屋根すなわち母屋側との強固な接続・固定関係が堅持されていると共に、新設屋根による負荷にも前記接続・固定関係が失われるようなことがなく、既設屋根上に新設屋根が流れ方向へズレ動かないように確実に重ね葺きされている堅牢な構造強度の改修構造を、第２には、さらに、強固な接続・固定関係に強制的に規制することで、より堅固な接続・固定関係に重ね葺きして施工することが可能な改修構造を提供することにある。
【０００５】
【課題を解決するための手段】
本発明は前記した第１の課題を達成するため、既設屋根上に流れ方向或いは桁行き方向の複数の固定具を経て新設屋根が重ね葺きされる屋根の改修構造において、前記固定具は、既設屋根上に取り付けられる下取付部と、新設屋根を取り付ける上取付部とを備えており、前記下取付部には、既設屋根の上方に突出するボルトのネジ部分に螺合されて既設屋根を母屋材に固定しているナットおよび座金の径よりも大径のガイド穴と、該ガイド穴に連通して、前記ボルトのネジ部分の径よりもやや大幅の挿入溝を形成してあり、既設屋根と座金との間に下取付部が介在して、挿入溝にボルトのねじ部分が挿入して取り付けられている既設屋根上の複数の固定具における少なくとも１つの固定具を他の固定具に対し、挿入溝の溝入口が流れ方向に相反している逆向き状態に取り付け、この流れ方向に逆向きの固定具を含む各固定具における上取付部上に渡り新設屋根を構築し、新設屋根を接続媒体として流れ方向に少なくとも１つの逆向きの固定具を含む各固定具を一体化することで、既設屋根上に新設屋根を流れ方向へのズレ動きが規制された敷設状態に葺いてあることを特徴とする。
また本発明では前記した第２の課題を達成するため、前記した固定具が、ボルトの軸線を中心とする回転防止およびボルトからの抜け止めをして働く規制部を備えていることを特徴とする。
【０００６】
本発明における新設屋根としては、新設屋根材に限らず、垂木や床板等も含まれる。既設屋根としては大波スレート等であり、その他の公知の既設屋根材等が全て含まれる。
既設屋根上の固定具に対する新設屋根の接続・固定部位は、新設屋根における山部或いは谷部であっても良いし、隣接する新設屋根材の上下重合状の側縁部にして、屋根材同士の接続を兼ねているようにしても良い。
固定具はピース材であり、材質は金属或いは樹脂等の硬質材になり、複数の部材から形成されているものであっても良い。この固定具の形態は、既設屋根上に取り付けられる下取付部と、新設屋根を取り付ける上取付部とが上下位置関係を有するもの全てを含み、この上下位置関係としては、上下対向状或いは上下対称状等が挙げられる。下取付部は既設屋根に沿う形状に形成されるのが望ましい。また、新設屋根を取り付ける上取付部は、屋根材等の外装材を直接取り付ける態様のものであっても良いし、垂木等の支持部材、或いは外装材の保持部材（吊子等）、断熱材等を介在させて取り付ける態様のものであっても良い。この上取付部は、外装材を直接取り付ける場合は、その外装材の形状に沿う形状としても良いし、上下両面が水平状の垂木等を介在する場合は略水平状に形成しても良い。同様に、既設屋根上に取り付けられる下取付部は、屋根上面に直接取り付けられる態様のものであっても良いし、他の部材を介在させて取り付けられる態様のものであっても良い。
【０００７】
ガイド穴は、丸穴状、角穴状、半円状、その他のこれらに類する形状のいずれであっても良い。挿入溝は、ボルトが挿入可能な例えば略Ｕ字状等の溝であれば良く、溝入口はガイド穴側に向けて広がるテーパー状であるのが望ましい。
規制部は、大波スレート製の既設屋根の突条部に沿う凸曲状に形成された下取付部における前記突条部の外側面部に当接または当接可能な側縁部分を規制部としても良いし、折板製の新設屋根の山部に沿う水平状に形成された上取付部における前記山部の内側面部に当接または当接可能な側縁部分を規制部としても良い。また、規制部は、下取付部の一部から下方へ突出されて既設屋根に噛合可能な爪状または鋸歯状或いはローレット状等の噛合部であっても良いし、上取付部の一部から上方に突出されて新設屋根に噛合可能な爪状または鋸歯状或いはローレット状等の噛合部であっても良い。この規制部としては、ボルトの軸線を中心とする固定具の回転を阻止して、ボルトを挿入溝内に抜止規制可能な態様のものであれば何れでも良い。
【０００８】
固定具は、既設屋根の流れ方向に並ぶ複数の各固定具であっても良いし、また、既設屋根の桁行き方向に並ぶ複数の各固定具であっても良い。そして、この各固定具を既設屋根上に載置して取り付けるに際しては、少なくとも１つの固定具を他の固定具に対し、挿入溝の溝入口が流れ方向に相反している逆向き状態に整えられて既設屋根上に載置されることになると共に、各下取付部は、ボルトがガイド穴から挿入溝に挿入するように流れ方向に沿い互いに逆向きにスライドされて、突条部上面と座金下面或いは弾性材下面との間に押し込まれることで、既設屋根上に取り付けられることになる。この少なくとも１以上の逆向きの固定具を含む各固定具は、新設屋根を接続媒体にして一体化することで、それぞれの挿入溝内におけるボルトの挿入・接続関係が保持されて、既設屋根上に新設屋根を流れ方向へのズレ動きが規制された敷設状態に葺くことになる。
【０００９】
【発明の実施の形態】
図１〜図５には本発明の屋根の補修構造における実施の１形態を示しており、母屋材１は、母屋材１上に大波スレート製の既設屋根材２を敷設した状態に、既設屋根材２の突条部２ａ上方に突出するフックボルト３のネジ部分３ａに螺合したナット４により座金５およびパッキング等の弾性材６を介在させて固定している。そして、この既設屋根材２における上方へ突出しているネジ部分３ａ位置の突条部２ａには固定具７をそれぞれ取り付け、この流れ方向に隣り合う各固定具７を経て新設屋根材１３を重ね葺きしてある。
【００１０】
固定具７は断面略コ状のピース材で、既設屋根材２の突条部２ａ上面に沿う形状の断面凸曲状下取付部８と、新設屋根材１３の下面に沿う形状の水平状上取付部９とを上下対向状に備えている。下取付部８には、板面の長手方向に沿いガイド穴１０および挿入溝１１を相互に連通状に開口しており、ガイド穴１０は、既設屋根材２の上方に突出するフックボルト３のネジ部分３ａに螺合されるナット４および座金５並びに弾性材６の径よりも大径の丸穴状に形成し、挿入溝１１は、フックボルト３のネジ部分３ａの径よりもやや大幅で且つナット４および座金５並びに弾性材６の径よりも小径の略Ｕ字状に形成している。また、挿入溝１１の溝入口１１ａは、フックボルト３がガイド穴１０側から入り易いようにアール状或いはテーパー状に形成してある。また下取付部８には、長手方向に沿う左右側縁部分を規制部１２として形成してある。この規制部１２は、突条部２ａに沿う下取付部８のスライド動作すなわち挿入溝１１内へのフックボルト３の挿入を妨げない一方で、下取付部８の回転・逆スライド動作すなわち固定具７がフックボルト３の軸線回りに１８０度回転して挿入溝１１内からフックボルト３が抜け出ようとする動きを、規制部１２が突条部２ａ側面に当接することにより阻止し得るように形成してある。この規制部１２は、下取付部８の回転を阻止することで、フックボルト３を挿入溝１１内に抜止規制可能にしてある。
【００１１】
この流れ方向に隣り合う各固定具７は、突条部２ａ上に下取付部８をこれのガイド穴１０にナット４、座金５、弾性材６が通るように被せて載置すると共に、少なくとも１以上の固定具７を他の固定具７に対し、それぞれの挿入溝１１の溝入口１１ａが流れ方向に相反する逆向き状態に整え、然る後に、各固定具７を突条部２ａに沿い互いに逆方向にスライドさせて、突条部２ａ上面と弾性材６下面との間に下取付部８を押し込むことにより、フックボルト３をガイド穴１０側から挿入溝１１に挿入し、既設屋根材２上に取り付けてある。
【００１２】
そして、既設屋根材２上には折板製の新設屋根材１３を敷設し、既設屋根材２の突条部２ａ上に取り付けられた流れ方向の各固定具７の上取付部９上面には、隣り合う左右の新設屋根材１３における左右の側縁部１３ａを上下重合状に載置すると共に、この左右側縁部１３ａをタッピングネジ等の留め具１４で上取付部９にそれぞれ接続固定し、新設屋根材１３を接続媒体として流れ方向の各固定具７を一体化することでそれぞれの挿入溝１１内におけるボルト３の挿入・接続関係を確保し、母屋材１すなわち既設屋根材２に対して新設屋根材１３が流れ方向に移動不能な接続・固定状態を各固定具７により形成してある。また、規制部１２は突条部２ａ側面に当接しており、下取付部８の回転を阻止することで、フックボルト３を挿入溝１１内に抜止規制している。
【００１３】
留め具１４の拡大頭部１４ａと側縁部１３ａとの間には座金１５およびパッキング等の弾性材１６を介在させて雨仕舞している。この弾性材１６の劣化或いは振動等によっても、各固定具７と既設屋根材２すなわち母屋側との固定関係が堅持され、かかる各固定具７を経て既設屋根材２上に新設屋根材１３が確実に重ね葺きされている。
【００１４】
図６〜図１０には本発明の改修構造における実施の他の１形態を例示しており、構成は前記した図１の態様のものと基本的に同一であるため、共通している構成の説明は符号を準用して省略し、相違する構成について説明する。
既設屋根材２における上方へ突出しているネジ部分３ａ位置の突条部２ａには固定具７をそれぞれ取り付け、この桁行き方向に隣り合う各固定具７を経て新設屋根材１３を重ね葺きしてある。
【００１５】
この桁行き方向に隣り合う各固定具７は、突条部２ａ上に下取付部８をこれのガイド穴１０にナット４、座金５、弾性材６が通るように被せて載置すると共に、少なくとも１以上の固定具７を他の固定具７に対し、それぞれの挿入溝１１の溝入口１１ａが流れ方向に相反する逆向き状態に整え、然る後に、各固定具７を突条部２ａに沿い互いに逆方向にスライドさせて、突条部２ａ上面と弾性材６下面との間に下取付部８を押し込むことにより、フックボルト３をガイド穴１０側から挿入溝１１に挿入し、既設屋根材２上に取り付けてある。
【００１６】
そして、既設屋根材２上には折板製の新設屋根材１３を敷設し、既設屋根材２の突条部２ａ上に取り付けられた桁行き方向の各固定具７の上取付部９上面には、隣り合う左右の新設屋根材１３における左右の側縁部１３ａを上下重合状に載置すると共に、他方の固定具７の上取付部９上面には、同新設屋根材１３における山部１３ｂを載置し、この左右側縁部１３ａおよび山部１３ｂをタッピングネジ等の留め具１４でそれぞれの上取付部９に接続固定し、新設屋根材１３を接続媒体として桁行き方向の各固定具７を一体化することでそれぞれの挿入溝１１内におけるボルト３の挿入・接続関係を確保し、母屋材１すなわち既設屋根材２に対して新設屋根材１３が流れ方向に移動不能な接続・固定状態を各固定具７により形成してある。また、規制部１２は突条部２ａ側面に当接しており、下取付部８の回転を阻止することで、フックボルト３を挿入溝１１内に抜止規制している。
【００１７】
図１１には本発明の改修構造における固定具の他の１形態を例示しており、構成は前記した図５の態様のものと基本的に同一であるため、共通している構成の説明は符号を準用して省略し、相違する構成について説明する。
（ａ）の固定具７では、断面口状にして、上取付部９を下取付部８と上下対向状に形成してある。（ｂ）の固定具７では、側面コ状にして、上取付部９を下取付部８と上下対向状に形成してある。（ｃ）の固定具７では、側面クランク状にして、上取付部９を下取付部８と上下対称状に形成してある。（ｄ）および（ｅ）の固定具７では、側面クランク状にして、下取付部８と上取付部９を上下対称状に形成してあると共にガイド穴１０を半円状に形成してある。
【００１８】
【発明の効果】
Ａ．請求項１により、単一形状のピース材である固定具を用いていながら、固定具と既設屋根すなわち母屋側との強固な接続・固定関係が堅持されていると共に、新設屋根による負荷にも前記接続・固定関係が失われるようなことがなく、既設屋根上に新設屋根が流れ方向へズレ動かないように確実に重ね葺きされていて、強度的にも堅牢な改修構造である。
したがって、既設屋根上に新設屋根を重ね葺きするのに有用であり、また、間に断熱材或いは断熱空間層を形成するような上下の二重葺き屋根の施工に有用である。
Ｂ．請求項２により、さらに、強固な接続・固定関係に強制的に規制することで、より堅固な接続・固定関係に重ね葺きして施工することができる改修構造である。
【図面の簡単な説明】
【図１】本発明の改修構造における実施の１形態を例示している平面図。
【図２】図１の（２）−（２）部分拡大縦断面図。
【図３】図１の（３）−（３）部分拡大縦断面図。
【図４】一部切欠して示す平面図。
【図５】固定具を示し、（ａ）は一部切欠して示す平面図、（ｂ）は斜視図、（ｃ）は正面図。
【図６】本発明の改修構造における実施の他の１形態を例示している平面図。
【図７】一部切欠して示す平面図。
【図８】拡大縦断正面図。
【図９】図７の（９）−（９）部分拡大縦断面図。
【図１０】図７の（１０）−（１０）部分拡大縦断面図。
【図１１】（ａ）〜（ｄ）は固定具の他の形態をそれぞれ例示している斜視図、（ｅ）は（ｄ）の固定具の平面図。
【符号の説明】
１  母屋材
２  既設屋根材（既設屋根）
２ａ  突条部
３  フックボルト（ボルト）
３ａ  ネジ部分
４  ナット
５、１５  座金
６、１６  弾性材
７  固定具
８  下取付部
９  上取付部
１０  ガイド穴
１１  挿入溝
１１ａ  溝入口
１２  規制部
１３  新設屋根材（新設屋根）
１３ａ  側縁部
１３ｂ  山部
１４  留め具
１４ａ  拡大頭部
【図１】
2004300668.tif 000003
【図２】
2004300668.tif 000004
【図３】
2004300668.tif 000005
【図４】
2004300668.tif 000006
【図５】
2004300668.tif 000007
【図６】
2004300668.tif 000008
【図７】
2004300668.tif 000009
【図８】
2004300668.tif 000010
【図９】
2004300668.tif 000011
【図１０】
2004300668.tif 000012
【図１１】
2004300668.tif 000013